(57)【要約】【課題】画面が大型化しても、画面上の音源位置と再生音の定位位置とのずれが少ないテレビジョン装置（５０，５１）を提供する。【解決手段】筐体（２）と、画像表示部（１）と、音声出力部と、を備え、音声出力部は、画像表示部（１）の一辺に沿う方向に離隔して筐体（２）に設けられた一対の第１スピーカ（３Ｌ，３Ｒ）と、第１スピーカ（３Ｌ，３Ｒ）の間に、筐体（２）に対して離接する方向に直線移動可能に設けられると共に、画像表示部（１）に向けて放音する一対の第２のスピーカ（４Ｌ，４Ｒ）と、を備えた。【選択図】図１
2008187441.tif 000002
【特許請求の範囲】
【請求項１】
筐体と、画像表示部と、音声出力部と、を備えたテレビジョン装置であって、
前記音声出力部は、
前記画像表示部の一辺に沿う方向に離隔して前記筐体に設けられた一対の第１スピーカと、
前記第１スピーカの間に、前記筐体に対して離接する方向に直線移動可能に設けられると共に、前記画像表示部に向けて放音する一対の第２のスピーカと、を備えたことを特徴とするテレビジョン装置。
【請求項２】
前記筐体から延出して前記一対の第２のスピーカをそれぞれ支持する腕部を備え、該腕部は、その延出方向を軸として該軸の回りに回動するよう構成されて成ることを特徴とする請求項１記載のテレビジョン装置。
【請求項３】
前記一対の第２のスピーカは、前記画像表示部の一辺に沿う方向に、互いに独立して直線移動可能とされて成ることを特徴とする請求項１または請求項２記載のテレビジョン装置。
【発明の詳細な説明】
【技術分野】
【０００１】
本発明は、音テレビジョン装置に係り、特に、表示画面が大きい場合に再生音の定位を良好にする技術に関する。
【背景技術】
【０００２】
近年、テレビジョン装置においては、液晶方式やプラズマ方式のパネルを用いた大画面化が進んでいる。
画面が大きくなると、音声を再生するためのスピーカは、画面を表示する表示部の両脇や、その下方に配置することになる。
その場合、左右方向の音像定位はそれほど不自然にはならないものの、上下方向については、画面上の音源位置とスピーカの位置との差が大きくなり、視聴者にとって不自然な音像定位となる場合があった。
【０００３】
この不自然な音像定位を改善するための技術が種々提案されており、例として、特許文献１及び特許文献２に記載されたものがある。
特許文献１には、指向性を有する音をスクリーン等に反射させて視聴者に届けることで、あたかもセンターチャネルの音がスクリーン上から放音されているように聴けるという効果が得られるスピーカシステムが開示されている。
特許文献２には、画面に向けて放音するスピーカを本体に内蔵したテレビジョンが開示されている。
【特許文献１】実開平６−７３９９７号公報
【特許文献２】特開平４−４８８８１号公報
【発明の開示】
【発明が解決しようとする課題】
【０００４】
画面がより大きくなると、画面上で音源が移動した場合に、具体的には、例えば、人物が話しをしながら移動するシーンなどにおいては、従来の技術を用いても、再生音の定位位置と画面上の音源位置とのずれが大きくなり、話をする人物とは別の位置から音が聞こえるというような不自然感が生じる問題があった。
また、視聴者の視聴位置が変わると再生音の定位位置がずれてやはり不自然な定位になってしまうという問題が生じてきた。
【０００５】
そこで、本発明が解決しようとする課題は、画面が大型化しても、画面上の音源位置と再生音の定位位置とのずれが少ないテレビジョン装置を提供することにある。
【課題を解決するための手段】
【０００６】
上記の課題を解決するために、本願発明は次の１）〜３）の手段を有する。
１）  筐体（２）と、画像表示部（１）と、音声出力部と、を備えたテレビジョン装置であって、
前記音声出力部は、
前記画像表示部（１）の一辺に沿う方向に離隔して前記筐体（２）に設けられた一対の第１スピーカ（３Ｌ，３Ｒ）と、
前記第１スピーカ（３Ｌ，３Ｒ）の間に、前記筐体（２）に対して離接する方向に直線移動可能に設けられると共に、前記画像表示部（１）に向けて放音する一対の第２のスピーカ（４Ｌ，４Ｒ）と、を備えたことを特徴とするテレビジョン装置（５０）である。
２）  前記筐体（２）から延出して前記一対の第２のスピーカ（４Ｌ，４Ｒ）をそれぞれ支持する腕部（５Ｌ，５Ｒ）を備え、該腕部（５Ｌ，５Ｒ）は、その延出方向を軸（ＣＬ）として該軸（ＣＬ）の回りに回動するよう構成されて成ることを特徴とする１）に記載のテレビジョン装置（５０）である。
３）  前記一対の第２のスピーカ（４Ｌ，４Ｒ）は、前記画像表示部（１）の一辺に沿う方向に、互いに独立して直線移動可能とされて成ることを特徴とする１）または２）に記載のテレビジョン装置（５１）である。
【発明の効果】
【０００７】
本発明によれば、画面上の音源位置と再生音の定位位置とのずれが少なくなる、という効果を奏する。
【発明を実施するための最良の形態】
【０００８】
本発明の実施の形態を、好ましい実施例により図１〜図４を用いて説明する。
【０００９】
図１において、このテレビジョン装置５０（以下、単に装置５０とも称する）は、画像Ｇを表示する表示部１と、これを含む本体部５０Ａと、本体部５０Ａを支持する支持スタンド５０Ｂと、を備えている。
本体部５０Ａは、筐体２を有し、その筐体２の内部には、表示部１の他に、表示部１を駆動する駆動回路（図示せず）などが収納されている。
表示部１の左右脇の下方には、筐体２に内蔵された一対の固定スピーカ３Ｌ，３Ｒが配設されている。
【００１０】
また、一対の固定スピーカ３Ｌ，３Ｒの間において、筐体２から装置５０の前方に向けて一対の支持腕５Ｌ，５Ｒが延出しており、この支持腕５Ｌ，５Ｒの先端部には、それぞれ補正スピーカ４Ｌ，４Ｒが取り付けられている。
ここで、補正スピーカ４Ｌ，４Ｒは、図２に示すように、放出された音が表示部１に反射して概ね視聴者ＳＴに届くように所定角度θ１だけ傾けられて固定されている。
【００１１】
一方、支持腕５Ｌ，５Ｒは、筐体２からの突出量Ｌ１を調整できるように、筐体２内に設けられた直線駆動部ＴＫにより、矢印Ｄ１方向に直線駆動可能とされる。
この直線駆動は、各支持腕５Ｌ，５Ｒが連動して、または、独立して行われる。
【００１２】
また、この支持腕５Ｌ，５Ｄは、筐体２内に設けられた回動駆動部ＫＫにより、その軸ＣＬの回りＲ１に回動駆動可能とされる。
【００１３】
筐体２内には、直線駆動部ＴＫと回動駆動部ＫＫとを独立して制御する制御部６が搭載されている。
これにより、各支持腕５Ｌ，５Ｒは、直線駆動と回動駆動とを組み合わせることにより、表示部１の任意の画面位置（図１ではα１，α２）に向けて補助スピーカ４Ｌ，４Ｒの音を放出できるようになっている。
【００１４】
従って、制御部６が、補助スピーカ支持腕５Ｌ，５Ｒからの放出音が表示部１に反射して視聴者ＳＴに対して画面中の任意の位置に定位するように各支持腕５Ｌ，５Ｒの突出量と回動角度を制御することで、画面上の音源が移動しても、その音源位置に定位位置を合わせることができるので、視聴者ＳＴは、定位において不自然さを極めて感じにくくなっている。
【００１５】
実施例のテレビジョン装置５０は、さらに、図２に示すテレビジョン装置５１（以下、単に装置５１とも称する）としてもよい。
【００１６】
この装置５１は、画像Ｇを表示する表示部１と、これを含む本体部５１Ａと、本体部５１Ａを支持する支持スタンド５１Ｂと、を備えている。
本体部５１Ａは、筐体２を有し、その筐体２の内部には、表示部１の他に、表示部１を駆動する駆動回路（図示せず）などが収納されている。
表示部１の左右脇の下方には、筐体２に内蔵された一対の固定スピーカ３Ｌ，３Ｒが配設されている。
【００１７】
また、一対の固定スピーカ３Ｌ，３Ｒの間において、筐体２から装置５１の前方に向けて一対の支持腕５Ｌ，５Ｒが延出しており、この支持腕５Ｌ，５Ｒの先端部には、それぞれ補正スピーカ４Ｌ，４Ｒが取り付けられている。
【００１８】
また、この装置５１は、直線駆動部ＴＫ，回動駆動部ＫＫに加えて、水平駆動部ＳＫを備え、これにより支持腕５Ｌ，５Ｒが、水平方向Ｓ１に駆動可能とされている。
具体的には、筐体２の前面に水平方向を長手とした細長の開口部７Ｌ，７Ｒが形成されており、この開口部７Ｌ，７Ｒ内をそれぞれの支持腕５Ｌ，５Ｒが独立して直線移動可能とされる。
そして、各駆動部ＴＫ，ＫＫ，ＳＫは、それぞれ独立して制御部６により駆動が制御される。
【００１９】
この制御の初期設定として、以下のような設定例がある。
具体的には、画面上の音源位置を特定する音源定位信号に基づいて、その画面上の位置に補助スピーカ４Ｌ，４Ｒからの再生音が定位するように行われる。
この設定においては、まず、補助スピーカ４Ｌ，４Ｒは、電源投入時、あるいは、位置のリセット時に標準位置に位置するよう移動される。
次に、視聴者の指示により、当該テレビジョン装置５０の制御部６は音源定位信号を補助スピーカ４Ｌ，５Ｒ出力する。
視聴者は、この出力された音源定位信号を聴き、最適な定位となるようにリモコンなどにより補助スピーカ４Ｌ，４Ｒの位置を調整する。
音源定位信号は、例えば、単一周波数の１ｋＨｚ，３ｋＨｚ，８ｋＨｚの信号である。
【００２０】
この移動において、支持腕５Ｌ，５Ｒは、互いに異なる方向に移動して離接するように、あるいは、連動して同じ方向に移動するものである。
【００２１】
このように、装置５１によれば、制御部６により、支持腕７Ｌ，７Ｒが、筐体２に対して突出量が調整されるようにＬ１方向に駆動され、また、各軸ＣＬまわりのＲ１方向に回動駆動され、さらに、水平方向Ｓ１に駆動されて補助スピーカ４Ｌ，４Ｒから画面に向かう放音方向が制御されるので、装置５０に対して、さらに精度よく画面上に再生音を定位させることができる。
【００２２】
一方、装置５０，５１において、固定スピーカ３Ｌ，３Ｒに供給される音声信号の再生周波数帯域と、補助スピーカ４Ｌ，４Ｒに供給される音声信号の再生周波数帯域とは、図４に示すように異なる帯域としてもよい。
【００２３】
具体的には、図４において、低音域と高音域とを主に固定スピーカ３Ｌ，３Ｒから再生させ、中音域を主に補助スピーカ４Ｌ，４Ｒから再生させる。
画面のセンターに定位させる音源は人間の声が多いため、この声などが主に含まれる中音域を補助スピーカ４Ｌ，４Ｒから再生させることで、画面上の人の位置と、再生する肉声の定位とをより精度よく合致させることができる。
【００２４】
また、中音域の幅、換言すれば、低音域と中音域との境界周波数ｆ１、中音域と高音域との境界周波数ｆ２については可変とし、再生するコンテンツに応じて調整できるようにすることが好ましい。
【００２５】
支持腕５Ｌ，５Ｒを駆動する構造には、モータを駆動源とし、減速ギア列またはラック＆ピニオンなどの周知の動力伝達手段が適用できるものである。
【００２６】
以上説明したテレビジョン装置５０，５１によれば、視聴者ＳＴは、筐体２の左右の固定スピーカ３Ｌ，３Ｒから直接到達する再生音ＭＳＬ，ＭＳＲと、表示部１に反射して間接的に到達する補助スピーカ４Ｌ，４Ｒからの反射再生音ＳＳＬ，ＳＳＲと、を聴くことになる。
そして、補助スピーカ４Ｌ，４Ｒからの反射再生音ＳＳＬ，ＳＳＲは、画面の
【００２７】
本発明の実施例は、上述した構成及び手順に限定されるものではなく、本発明の要旨を逸脱しない範囲において変形例としてもよいのは言うまでもない。
直線駆動部ＴＫは必ず備え、さらに回動駆動部ＫＫ及び水平駆動部ＳＫは、いずれか一方を備えていればよいが、両方備えるのが最も望ましい。
【図面の簡単な説明】
【００２８】
【図１】本発明のテレビジョン装置の実施例を説明するための斜視図である。
【図２】本発明のテレビジョン装置の実施例を説明するための図である。
【図３】本発明のテレビジョン装置の他の実施例を説明するための斜視図である。
【図４】本発明のテレビジョン装置におけるその他の実施例を説明するための図である。
【符号の説明】
【００２９】
１  画像表示部
２  筐体
３Ｌ，３Ｒ  固定スピーカ
４Ｌ，４Ｒ  補助スピーカ
５Ｌ，５Ｒ  支持腕
６  制御部
７Ｌ，７Ｒ  開口部
５０，５１  テレビジョン装置（装置）
５０Ａ，５１Ａ  本体部
５０Ｂ，５１Ｂ  支持スタンド
Ｇ  画像
ＴＫ  直線駆動部
ＫＫ  回動駆動部
ＳＫ  水平駆動部
ＳＴ  視聴者
ＭＳＬ，ＭＳＲ  再生音
ＳＳＬ，ＳＳＲ  反射再生音
【図１】
2008187441.tif 000003
【図２】
2008187441.tif 000004
【図３】
2008187441.tif 000005
【図４】
2008187441.tif 000006